(57)【要約】【課題】選択された放送信号の種類にかかわらず、チャンネルを切り替えるとすぐに放送信号を出力することができる放送受信装置を提供する。【解決手段】放送受信装置１は、ユーザがリモコン２０のチャンネルアップダウンキー２０ａを操作した際に、次に受信する放送信号がアナログ放送信号の場合、直前に放送信号を受信していたチューナ部で次に受信するアナログ放送信号を受信する。また、放送受信装置１は、ユーザがチャンネルアップダウンキー２０ａのアップ側またはダウン側を操作したかに応じて、現在一方のチューナ部で受信・出力しているチャンネルに最も近いチャンネル番号のディジタル放送信号を、他方のチューナ部で予め受信しておく。そして、ユーザが他方のチューナ部で受信しているディジタル放送信号のチャンネルを選択すると、放送受信装置１は、既に受信しているディジタル放送信号に基づいた映像信号や音声信号を出力する。【選択図】図１
2004266704.tif 000002
【特許請求の範囲】
【請求項１】
アナログ放送信号及びディジタル放送信号を受信する受信手段を複数備えた放送受信装置において、
チャンネル番号の昇順または降順にチャンネルを選択するチャンネルアップダウン手段と、
前記チャンネルアップダウン手段で選択された物理チャンネルのディジタル放送信号またはアナログ放送信号をいずれかの受信手段で受信している時に、現在選択されている物理チャンネルを基準にチャンネルアップまたはチャンネルダウン操作で選択される順番に割り当てた物理チャンネルのディジタル放送信号を、他の受信手段に受信させる受信制御手段と、
前記複数の受信手段を選択して、選択した受信手段の放送信号を出力する切替手段と、を備え、
前記チャンネルアップダウン手段で選択された物理チャンネルのディジタル放送信号またはアナログ放送信号を受信する受信手段は、前記切替手段がこの受信手段を選択して放送信号を出力中であって、前記操作部から次のチャンネルへの変更入力があった際に、この次のチャンネルがアナログ放送または同じ物理チャンネルのディジタル放送であると、この次のチャンネルを続けて受信し、
前記受信制御手段は、前記チャンネルアップダウン手段で選択された物理チャンネルのディジタル放送信号またはアナログ放送信号をいずれかの受信手段で受信している時に、現在選択されている物理チャンネルを基準にチャンネルアップまたはチャンネルダウン操作で選択される順番より手前の物理チャンネルのディジタル放送信号を、他のいずれかの受信手段に受信させることを特徴とする放送受信装置。
【請求項２】
アナログ放送信号及びディジタル放送信号を受信する受信手段を複数備えた放送受信装置において、
チャンネル番号の昇順または降順にチャンネルを選択するチャンネルアップダウン手段と、
前記チャンネルアップダウン手段で選択された物理チャンネルのディジタル放送信号またはアナログ放送信号をいずれかの受信手段で受信している時に、現在選択されている物理チャンネルを基準にチャンネルアップまたはチャンネルダウン操作で選択される順番に割り当てた物理チャンネルのディジタル放送信号を、他の受信手段に受信させる受信制御手段と、
前記複数の受信手段を選択して、選択した受信手段の放送信号を出力する切替手段と、を備えたことを特徴とする放送受信装置。
【請求項３】
前記チャンネルアップダウン手段で選択された物理チャンネルのディジタル放送信号またはアナログ放送信号を受信する受信手段は、前記切替手段がこの受信手段を選択して放送信号を出力中であって、前記操作部から次のチャンネルへの変更入力があった際に、この次のチャンネルがアナログ放送または同じ物理チャンネルのディジタル放送であると、この次のチャンネルを続けて受信する請求項２に記載の放送受信装置。
【請求項４】
前記受信制御手段は、前記チャンネルアップダウン手段で選択された物理チャンネルのディジタル放送信号またはアナログ放送信号をいずれかの受信手段で受信している時に、現在選択されている物理チャンネルを基準にチャンネルアップまたはチャンネルダウン操作で選択される順番より手前の物理チャンネルのディジタル放送信号を、他のいずれかの受信手段に受信させる請求項２または３に記載の放送受信装置。
【発明の詳細な説明】
【０００１】
【発明の属する技術分野】
この発明は、ディジタル放送とアナログ放送とを選択的に受信することができる放送受信装置に関する。
【０００２】
【従来の技術】
北米では、ケーブルテレビジョンが広く普及しており、ユーザは、複数のチャンネルの中から所望のチャンネルを選択して番組を視聴することができる。また、北米では、従来からあるアナログ放送に加えて、アナログ放送よりも高画質化・多チャンネル化が可能なＢＳ（Ｂｒｏａｄｃａｓｔｉｎｇ  Ｓａｔｅｌｌｉｔｅ）ディジタル放送やＣＳ（Ｃｏｍｍｕｎｉｃａｔｉｏｎｓ  Ｓａｔｅｌｌｉｔｅ）ディジタル放送に代表されるディジタル放送が普及しつつある。また、北米では、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）によって規格化されたディジタル放送（地上波ディジタル放送）が開  始されており、ディジタル放送は、アナログ放送と異なる物理チャンネルを使用して放送信号を発信している。また、ディジタル放送のチャンネルは、アナログ放送のチャンネル間に割り当てられて、アナログ放送のチャンネルと混在している。例えば、１〜１０チャンネルにおいて、１，３，４，５，８，１０チャンネルがアナログ放送のチャンネル、２，６，７，９チャンネルがディジタル放送のチャンネル、といった具合にチャンネルが割り当てられている。
【０００３】
アナログテレビ放送の放送局は、１つの物理チャンネル（１つの周波数帯域）の信号に１つのチャンネルのテレビ放送信号を圧縮せずに配信している。放送受信装置は、ユーザがアナログ放送のチャンネルを選択する操作を行ったことを検出すると、まず、選択したチャンネルに対応する周波数帯域の放送信号を受信して、直ちに映像信号や音声信号を表示装置に出力する。そのため、ユーザは、放送受信装置でチャンネルの選択操作を行ってから、そのチャンネルのアナログ放送信号が表示装置で再生されるまでに、ほとんど待つことなくすぐに、そのチャンネルの番組を視聴できる。
【０００４】
一方、ディジタルテレビ放送の放送局は、ディジタル圧縮技術を用いて圧縮符号化した複数チャンネルの信号を１つの物理チャンネル（１つの周波数帯域）において時分割多重化して配信している。すなわち、ディジタルテレビの放送局は、１つの周波数帯域の信号に多重化して、サブチャンネルと読んでいる複数チャンネルのテレビ放送信号を配信している。また、ディジタルテレビの放送局は、所望のチャンネルの信号を復元するのに必要なチャンネル情報信号を２〜３秒毎に、圧縮・多重化したディジタル放送信号に付加して配信している。
【０００５】
放送受信装置は、ユーザがチャンネルの選択操作を行ったことを検出すると、まず、選択したチャンネルに対応する周波数帯域のディジタル放送信号を受信し、その信号に含まれたチャンネル情報信号を抽出する。続いて、放送受信装置は、このチャンネル情報信号に基づいて、受信したディジタル放送信号から選択されたチャンネルの信号を分離・抽出して、圧縮される前の状態に信号を復元して、この信号表示装置に出力する。そのため、ユーザは、放送受信装置でチャンネルの選択操作を行ってからチャンネルの放送信号が表示装置で再生されるまでに、５〜１０秒程度待たなければならず、この間、放送受信装置の映像のない無信号の画面を視聴しなければならない。なお、放送受信装置は、１つの物理チャンネルのディジタル放送信号を受信して、あるサブチャンネルの映像や音声の信号をモニタ装置に出力すると、その物理チャンネルの別のサブチャンネルをモニタ装置に出力するようにチャンネルを変更されても、すぐにそのサブチャンネルの映像や音声の信号をモニタ装置に出力する。
【０００６】
そこで、従来、ディジタル放送とアナログ放送が混在するチャンネルチューニングにおいて、時間の短縮を図ることができる放送受信装置があった（例えば、特許文献１参照。）。
【０００７】
特許文献１に記載の放送受信装置のユーザは、上記のような複数の番組から所望のチャンネルを選択して番組を視聴するために、リモコン等の入力手段を用いて、放送受信装置におけるチャンネル選択を行うことができる。すなわち、ユーザは、リモコンのテンキーを操作してチャンネル番号を入力することで、視聴したいチャンネルを素早く選択することができる。また、ユーザは、リモコンのチャンネルアップダウンキーを操作して、表示装置に番組を表示させて番組を確認しながら、順次チャンネルを切り替えて、気に入った番組を選択することができる。
【０００８】
【特許文献１】
特開２００１−２４５３７号公報（第２，３頁、第１，２図）
【発明が解決しようとする課題】
特許文献１に記載の放送受信装置は、ディジタルチューナとＮＴＳＣチューナ（アナログチューナ）とを備えており、ディジタル放送のチャンネルをチューニングサーチしている間に、アナログ放送のチャンネルをチューニングサーチすることができる。そのため、この放送受信装置は、放送を受信するまでの待ち時間の短縮を図ることができる。
【０００９】
しかしながら、この放送受信装置は、ユーザがディジタル放送を受信中に別のディジタル放送を受信する場合、すぐに別のディジタル放送を受信することができず、放送を受信するまでの待ち時間を短縮できないという問題があった。
【００１０】
そこで、本発明は、選択された放送信号の種類にかかわらず、チャンネルを切り替えるとすぐに放送信号を出力することができる放送受信装置を提供することを目的とする。
【００１１】
【課題を解決するための手段】
この発明は、上記の問題を解決するために、以下の構成を備えている。すなわち、
アナログ放送信号及びディジタル放送信号を受信する受信手段を複数備えた放送受信装置において、
チャンネル番号の昇順または降順にチャンネルを選択するチャンネルアップダウン手段と、
前記チャンネルアップダウン手段で選択された物理チャンネルのディジタル放送信号またはアナログ放送信号をいずれかの受信手段で受信している時に、現在選択されている物理チャンネルを基準にチャンネルアップまたはチャンネルダウン操作で選択される順番に割り当てた物理チャンネルのディジタル放送信号を、他の受信手段に受信させる受信制御手段と、
前記複数の受信手段を選択して、選択した受信手段の放送信号を出力する切替手段と、
を備えたことを特徴とする。
【００１２】
ディジタル放送信号は、１つの周波数帯域の信号に多重化して、サブチャンネルと読んでいる複数チャンネルの放送信号が圧縮され、また、チャンネルの信号を復元するのに必要なチャンネル情報信号を２〜３秒毎に、圧縮・多重化したディジタル放送信号に付加した形で配信されている。そのため、放送受信装置では、ユーザがチャンネルの選択操作を行ってから、そのチャンネルの番組が表示装置で再生されるまでに、５〜１０秒程度待たなければならず、この間、放送受信装置の映像のない無信号の画面を視聴しなければならなかった。この構成においては、放送受信装置がディジタル放送を予め受信しておくことができるので、ユーザはチャンネル番号の昇順または降順にチャンネルを選択した際に、モニタ装置にディジタル放送の番組を速やかに表示させることができ、ほとんど待ち時間なしで番組を確認することができる。
【００１３】
また、前記チャンネルアップダウン手段で選択された物理チャンネルのディジタル放送信号またはアナログ放送信号を受信する受信手段は、前記切替手段がこの受信手段を選択して放送信号を出力中であって、前記操作部から次のチャンネルへの変更入力があった際に、この次のチャンネルがアナログ放送または同じ物理チャンネルのディジタル放送であると、この次のチャンネルを続けて受信することを特徴とする。
【００１４】
別のチャンネルのアナログ放送や同じ物理チャンネルのディジタル放送のチャンネルに対応する周波数帯域のアナログ放送信号やディジタル放送信号を受信する場合、ほとんど待ち時間なしにすぐに映像信号や音声信号を出力することができるので、ユーザは待ち時間なしで番組を表示装置で確認できる。
【００１５】
さらに、前記受信制御手段は、前記チャンネルアップダウン手段で選択された物理チャンネルのディジタル放送信号またはアナログ放送信号をいずれかの受信手段で受信している時に、現在選択されている物理チャンネルを基準にチャンネルアップまたはチャンネルダウン操作で選択される順番より手前の物理チャンネルのディジタル放送信号を、他のいずれかの受信手段に受信させることを特徴とする。
【００１６】
この構成においては、ユーザは、チャンネルアップダウン手段を操作してチャンネルを切り替えた時に、次に受信するディジタル放送のチャンネルをほとんど待たずに視聴できるだけでなく、直前に受信していたチャンネルをもう一度視聴する場合でも、ユーザはほとんど待たずに視聴することができる。
【００１７】
【発明の実施の形態】
図１は、本発明の実施形態に係る放送受信装置の概略構成を示したブロック図である。放送受信装置１は、放送局の電波塔５や別の放送局の電波塔６から輻射された電波をアンテナ１１で受信し、放送信号を処理して、表示手段であるモニタ装置２へ映像信号や音声信号を出力する。放送受信装置１は、地上波ディジタル放送（ＡＴＳＣ方式）、及び従来の地上波アナログ放送（ＮＴＳＣ方式）を受信することができる。
【００１８】
放送受信装置１は、アンテナ１１、チューナ部１２、チューナ部１３、切替部１４、ディジタル処理部（ＡＴＳＣフロントエンド）１５、アナログ処理部（ＮＴＳＣデコーダ）１６、映像出力部１７、音声出力部１８、操作部１９、リモコン２０、記憶部２１、及び制御部２２を備えた構成である。
【００１９】
図外のアナログ放送局やディジタル放送局など複数の放送局から出力された番組の放送データは、それぞれ異なる周波数の電波（放送信号）として、電波塔５や電波塔６から輻射される。チューナ部１２，１３は、電波塔５や電波塔６から輻射されたアナログ放送信号やディジタル放送信号を受信して、この放送信号を切替部１４へ出力する。また、チューナ部１２及びチューナ部１３は、ユーザが操作部１９やリモコン２０を操作してチャンネルの選択を行った場合、状況に応じて選択されたチャンネルの放送信号を受信する。さらに、ユーザがリモコン２０のチャンネルアップダウンキー２０ａを操作した場合、チャンネルアップダウンキー２０ａの操作に応じて、一方のチューナ部がアナログ放送信号またはディジタル放送信号を受信して切替部１４を介して放送信号を出力している間に、他方のチューナ部は次に受信する予定のディジタル放送信号を予め受信する。具体的な放送信号の受信手順は後述する。
【００２０】
切替部１４は、操作部１９やリモコン２０をユーザが操作して受信するチャンネルの選択動作を行うと、その選択動作に応じて、チューナ部１２及びチューナ部１３の一方が受信した放送信号を、ディジタル処理部１５またはアナログ処理部１６へ出力する。すなわち、チューナ部１２またはチューナ部１３がディジタル放送信号（例えば、ＡＴＳＣ方式の放送信号）を受信している場合には、ディジタル処理部１５へ放送信号を出力する。また、チューナ部１２またはチューナ部１３がアナログ放送信号（例えば、ＮＴＳＣ方式の放送信号）を受信している場合には、アナログ処理部１６へ放送信号を出力する。
【００２１】
ディジタル処理部１５は、ディジタル放送信号をデコードして映像出力部１７及び音声出力部１８へ出力する。アナログ処理部１６は、アナログ放送信号をデコードして映像出力部１７及び音声出力部１８へ出力する。
【００２２】
映像出力部１７は、ディジタル処理部１５またはアナログ処理部１６から出力された映像信号をモニタ装置２で再生可能なアナログ信号に変換して、モニタ装置２へ出力する。音声出力部１８は、ディジタル処理部１５またはアナログ処理部１６から出力された音声信号をモニタ装置２で再生可能なアナログ信号に変換して、モニタ装置２へ出力する。
【００２３】
操作部１９は、放送受信装置１で受信するチャンネルの選択や放送受信装置１における各種の設定操作を行うためのものである。なお、操作部１９は、リモコン２０から出力された信号を受信する信号受信部１９ａと、放送受信装置１で受信するチャンネルを連続的に切り替えることができる図外のチャンネルアップダウンキーを備えている。
【００２４】
リモコン２０は、放送受信装置１で受信するチャンネルの選択や放送受信装置１における各種の設定操作を、放送受信装置１から離れた位置で行うためのものである。リモコン２０は、放送受信装置１で受信するチャンネルを連続的に切り替えることができるチャンネルアップダウンキー２０ａを備えている。
【００２５】
記憶部２１は、制御部２１が行う処理プログラムやチューナ部１２，１３が受信するチャンネルを登録したチャンネルマップなどを記憶している。ここで、チャンネルマップとは、周知のように、予め受信可能な全周波数帯域について番組を放送しているチャンネルを検出して、そのチャンネルを登録したものである。放送受信装置１は、ユーザがリモコン２０のチャンネルアップダウンキー２０ａのアップ側またはダウン側を所定の間隔で操作したことを検出すると、このチャンネルマップに登録されたチャンネルのチャンネル番号の昇順または降順に、放送信号を受信する。制御部２２は、放送受信装置１の各部の動作を制御する。
【００２６】
次に、ユーザがリモコン２０のチャンネルアップダウンキー２０ａを操作して受信するチャンネルを連続的に変更した際の放送受信装置１の動作について説明する。放送受信装置１では、ユーザがチャンネルアップダウンキー２０ａを所定の間隔で操作して、受信するチャンネルを連続的に選択・変更すると、制御部２１は、チューナ部１２及びチューナ部１３の一方で選択されたチャンネルの放送信号を受信し、他方のチューナ部で次に受信するディジタル放送信号を受信するように制御する。
【００２７】
すなわち、放送受信装置１は、ユーザがリモコン２０のチャンネルアップダウンキー２０ａを操作した際に、次に受信する放送信号がアナログ放送信号の場合、直前に放送信号を受信していたチューナ部で次に受信するアナログ放送信号を受信する。また、放送受信装置１は、ユーザがリモコン２０のチャンネルアップダウンキー２０ａを操作した際に、ユーザがチャンネルアップダウンキー２０ａのアップ側またはダウン側を操作したかに応じて、現在一方のチューナ部で受信・出力しているチャンネルに最も近いチャンネル番号のディジタル放送信号を、他方のチューナ部で予め受信しておく。そして、放送受信装置１は、ユーザがリモコン２０のチャンネルアップダウンキー２０ａをさらに操作して、他方のチューナ部で受信しているディジタル放送信号のチャンネルが選択されると、既に受信しているディジタル放送信号に基づいて映像信号や音声信号を出力する。
【００２８】
前記のように、放送受信装置１では、チューナ部１２，１３は、アナログ放送信号を受信した場合、映像信号や音声信号をすぐにモニタ装置２へ出力することができるが、ディジタル放送信号を受信した場合、映像信号や音声信号をすぐに出力できないため、ディジタル放送信号を他方のチューナ部で予め受信しておき、そのディジタル放送信号のチャンネルが選択されると、既に受信しているディジタル放送信号に基づいて映像信号や音声信号を出力する。このようにすることで、ユーザは、受信するチャンネルを連続的に切り替えた際にディジタル放送のチャンネルを選択しても、ほとんど待ち時間なしでモニタ装置４から出力される映像や音声を視聴することができる。
【００２９】
具体的には、以下のような手順で放送信号を受信する。図２は、放送受信装置の放送信号を受信する順番を示した図である。以下の説明では、物理チャンネルである３〜９チャンネルを順番に切り替えながら受信するものとし、３，５，８チャンネルがアナログ放送のチャンネル、６，７，９チャンネルがディジタル放送のチャンネルで、６チャンネルはサブチャンネル６−１、６−２を、７チャンネルはサブチャンネル７−１、７−３を、９チャンネルはサブチャンネル９−１、９−２を有しているものとする。４チャンネルは空きチャンネルである。また、放送受信装置１の記憶部２０が記憶しているチャンネルマップには、アップダウンキー２０ａのアップ側ボタンが操作されると、３→５→６−１→６−２→７−１→７−３→８→９−１→９−２→３→５→．．．の順に各チャンネルの放送信号を受信するように記録されている。また、チャンネルマップには、各チャンネルがアナログ放送であるかディジタル放送であるかなどの情報が記録されており、制御部２１はこのチャンネルマップを参照してチューナ部１２，１３や切替部１４の制御を行う。なお、以下の説明では制御部２１のチャンネルマップ参照動作の説明を省略する。
【００３０】
放送受信装置１では、例えば、チューナ部１２で３チャンネルのアナログ放送信号を受信し、切替部１４を介して信号を出力している。また、チューナ部１３は、直前にユーザがアップダウンキー２０ａのダウン側ボタンを操作していた場合、９−２チャンネルを受信している。
【００３１】
（１）ユーザがリモコン２０のアップダウンキー２０ａのアップ側ボタンを操作すると、放送受信装置１の受信チャンネルは５チャンネルに切り替わる。この時、制御部２１は、チューナ部１２に５チャンネルのアナログ放送信号を受信させ、切替部１４を介してアナログ放送信号をアナログ処理部１６へ出力させる  （１ａ）。また、制御部２１は、チューナ部１３に５チャンネルに最も近いディジタル放送のチャンネルである６チャンネルのサブチャンネル：６−１チャンネルのディジタル放送信号を受信させる（１ｂ）。
【００３２】
（２）ユーザが再度リモコン２０のアップダウンキー２０ａのアップ側ボタンを操作すると、放送受信装置１の受信チャンネルは６−１チャンネルに切り替わる。この時、制御部２１は、チューナ部１３が既に受信している６−１チャンネルのディジタル放送信号をディジタル処理部１５へ出力するように、切替部１４を制御する（２ａ）。また、制御部２１は、チューナ部１２に６チャンネルに最も近いディジタル放送の物理チャンネルである７−１チャンネルのディジタル放送信号を受信させる（２ｂ）。
【００３３】
（３）ユーザが再度リモコン２０のアップダウンキー２０ａのアップ側ボタンを操作すると、放送受信装置１の受信チャンネルは６−２チャンネルに切り替わる。この時、制御部２１は、チューナ部１３に６−２チャンネルのディジタル放送信号を受信させ、切替部１４を切り替えずにディジタル処理部１５へ出力させる（３ａ）。
【００３４】
（４）ユーザが再度リモコン２０のアップダウンキー２０ａのアップ側ボタンを操作すると、放送受信装置１の受信チャンネルは７−１チャンネルに切り替わる。この時、制御部２１は、チューナ部１２が既に受信している７−１チャンネルのディジタル放送信号をディジタル処理部１５へ出力するように、切替部１４を制御する（４ａ）。また、制御部２１は、チューナ部１３に７チャンネルに最も近いディジタル放送の物理チャンネルである９チャンネルのサブチャンネル：９−１チャンネルのディジタル放送信号を受信させる（４ｂ）。
【００３５】
（５）ユーザが再度リモコン２０のアップダウンキー２０ａのアップ側ボタンを操作すると、放送受信装置１の受信チャンネルは７−３チャンネルに切り替わる。この時、制御部２１は、チューナ部１２に７−３チャンネルのディジタル放送信号を受信させ、切替部１４を切り替えずにディジタル処理部１５へ出力させる（５ａ）。
【００３６】
（６）ユーザが再度リモコン２０のアップダウンキー２０ａのアップ側ボタンを操作すると、放送受信装置１の受信チャンネルは８チャンネルに切り替わる。この時、制御部２１は、チューナ部１２に８チャンネルのディジタル放送信号を受信させ、切替部１４を切り替えてアナログ処理部１６へこの放送信号を出力させる（６ａ）。
【００３７】
（７）ユーザが再度リモコン２０のアップダウンキー２０ａのアップ側ボタンを操作すると、放送受信装置１の受信チャンネルは９−１チャンネルに切り替わる。この時、制御部２１は、チューナ部１３が既に受信している９−１チャンネルのディジタル放送信号をディジタル処理部１５へ出力するように、切替部１４を制御する（７ａ）。また、制御部２１は、チューナ部１２に９チャンネルに最も近いディジタル放送の物理チャンネルである６チャンネルのサブチャンネル：６−１チャンネルのディジタル放送信号を受信させる（７ｂ）。
【００３８】
（８）ユーザが再度リモコン２０のアップダウンキー２０ａのアップ側ボタンを操作すると、放送受信装置１の受信チャンネルは９−２チャンネルに切り替わる。この時、制御部２１は、チューナ部１３に９−２チャンネルのディジタル放送信号を受信させ、切替部１４を切り替えずにディジタル処理部１５へ出力させる（８ａ）。
【００３９】
（９）ユーザが再度リモコン２０のアップダウンキー２０ａのアップ側ボタンを操作すると、放送受信装置１の受信チャンネルは３チャンネルに切り替わる。この時、制御部２１は、チューナ部１３に３チャンネルのアナログ放送信号を受信させ、切替部１４を切り替えてアナログ処理部１６へ放送信号を出力させる  （９ａ）。
【００４０】
（１０）ユーザが再度リモコン２０のアップダウンキー２０ａのアップ側ボタンを操作すると、放送受信装置１の受信チャンネルは５チャンネルに切り替わる。この時、制御部２１は、チューナ部１３に５チャンネルのアナログ放送信号を受信させ、切替部１４を切り替えずにアナログ処理部１６へ放送信号を出力させる（１０ａ）。
【００４１】
（１１）ユーザが再度リモコン２０のアップダウンキー２０ａのアップ側ボタンを操作すると、放送受信装置１の受信チャンネルは６−１チャンネルに切り替わる。この時、制御部２１は、チューナ部１２が既に受信している６−１チャンネルのディジタル放送信号をディジタル処理部１５へ出力するように、切替部１４を制御する（１１ａ）。また、制御部２１は、チューナ部１３に６チャンネルに最も近いディジタル放送の物理チャンネルである７チャンネルのサブチャンネル：７−１チャンネルのディジタル放送信号を受信させる（１１ｂ）。
【００４２】
このように、放送受信装置１では、チューナ部で予めディジタル放送信号を受信させながら、受信する放送信号を交互に切り替えるので、ユーザはディジタル放送を受信する際に、ほとんど待たずにディジタル放送の番組を視聴することができる。
【００４３】
なお、放送受信装置１では、ユーザがリモコン２０のアップダウンキー２０ａのダウン側ボタンを操作した場合、３→９−２→９−１→８→７−３→７−１→６−２→６−１→５→３→９−２→．．．の順に各チャンネルの放送信号を受信するように設定されており、制御部２１はこの順に各チャンネルの放送信号を受信するように、放送受信装置１のチューナ部１２、チューナ部１３、切替部１４などを制御する。
【００４４】
また、放送受信装置１は、ユーザがあるチャンネルの番組を視聴中に、リモコン２０のテンキーを操作して特定のチャンネルを選択した場合、一方のチューナ部でそのまま視聴中のチャンネルの放送信号を受信しておき、他方のチューナ部でユーザが指定した特定のチャンネルの放送信号を受信する。放送受信装置１は、ユーザが特定のチャンネルの番組を視聴してから直前に視聴していたチャンネルの番組を視聴するために、リモコンのＡｌｔキー（直前に視聴していたチャンネルを表示させるキー）を操作したことを検出すると、一方のチューナ部で受信していたチャンネルの放送信号を出力する。
【００４５】
具体的には、以下のような手順で放送信号を受信する。図３は、放送受信装置の放送信号を受信する順番を示した図である。
【００４６】
放送受信装置１では、例えば、チューナ部１２で６−１チャンネルのディジタル放送信号を受信し、切替部１４を介して信号を出力している。また、チューナ部１３は、直前にユーザがアップダウンキー２０ａのダウン側ボタンを操作していた場合、９−２チャンネルを受信している。
【００４７】
（１）ユーザが７−３チャンネルを受信するためにリモコン２０のテンキー２０ｂを操作すると、放送受信装置１の受信チャンネルは７−３チャンネルに切り替わる。この時、制御部２１は、チューナ部１３に７−３チャンネルのディジタル放送信号を受信させ、切替部１４を介してディジタル放送信号をディジタル処理部１５へ出力させる。また、制御部２１は、チューナ部１２に、そのまま６−１チャンネルのディジタル放送信号を受信させておく。なお、この時、７−３チャンネルの番組が表示されるまでに、５〜１０秒程度の待ち時間が発生する。
【００４８】
（２）ユーザが、最初に視聴していた６−１チャンネルを受信するためにリモコン２０のＡｌｔキー２０ｃを操作すると、放送受信装置１の受信チャンネルは６−１チャンネルに切り替わる。この時、制御部２１は、チューナ部１２がそのまま受信していた６−１チャンネルのディジタル放送信号を、切替部１４を介してディジタル放送信号をディジタル処理部１５へ出力させる。また、制御部２１は、チューナ部１３に、そのまま６−１チャンネルのディジタル放送信号を受信させておく。
【００４９】
このように、ユーザは、直接チャンネルを選択した後に、直前に視聴したチャンネルを再度視聴する場合にも、ほとんど待たずにディジタル放送の番組を視聴することができる。
【００５０】
なお、上記の説明では、放送受信装置１が２つのチューナ部を備えている構成について説明したが、本発明はこの構成に限定するものではない。放送受信装置１は、３つ以上のチューナ部を備えた構成であっても良い。例えば、３つのチューナ部Ａ，Ｂ，Ｃを備えた構成の場合、ユーザがリモコン２０のアップダウンキー２０ａを操作してチャンネルを切り替えた時に、今まで受信・出力していたチャンネルの放送信号をチューナ部Ａで受信しておき、現在受信・出力するチャンネルの放送信号をチューナ部Ｂで受信し、次に受信する予定のディジタル放送信号をチューナ部Ｃで受信しておくようにする。このようにすることで、ユーザは、リモコン２０のアップダウンキー２０ａを操作してチャンネルを切り替えた時に、次に受信するディジタル放送のチャンネルをほとんど待たずに視聴できるだけでなく、直前に受信していたチャンネルをもう一度視聴する場合でも、ユーザはほとんど待たずに視聴することができるようになる。
【００５１】
【発明の効果】
本発明によれば、以下の効果が得られる。
【００５２】
放送受信装置がディジタル放送を予め受信しておくことができるので、ユーザはチャンネル番号の昇順または降順にチャンネルを選択した際に、モニタ装置にディジタル放送の番組を速やかに表示させることができ、ほとんど待ち時間なしで番組を確認することができる。
【００５３】
また、別のチャンネルのアナログ放送や同じ物理チャンネルのディジタル放送のチャンネルに対応する周波数帯域のアナログ放送信号やディジタル放送信号を受信する場合、ほとんど待ち時間なしにすぐに映像信号や音声信号を出力することができるので、ユーザは待ち時間なしで番組を表示装置で確認できる。
【００５４】
さらに、ユーザは、チャンネルアップダウン手段を操作してチャンネルを切り替えた時に、次に受信するディジタル放送のチャンネルをほとんど待たずに視聴できるだけでなく、直前に受信していたチャンネルをもう一度視聴する場合でも、ユーザはほとんど待たずに視聴することができる。
【図面の簡単な説明】
【図１】本発明の実施形態に係る放送受信装置の概略構成を示したブロック図である。
【図２】放送受信装置の放送信号を受信する順番を示した図である。
【符号の説明】
１−放送受信装置、２−モニタ装置、５，６−電波塔、１１−アンテナ、
１２−チューナ部、１３−チューナ部、１４−切替部、１５ディジタル処理部、１６−アナログ処理部１７−映像出力部、１８−音声出力部、１９−操作部、２０−リモコン、２０ａ−チャンネルアップダウンキー、２１−記憶部、２２−制御部
【図１】
2004266704.tif 000003
【図２】
2004266704.tif 000004